(57)【要約】【課題】急須や茶碗の蓋を開けることなく、熱湯を蓋から直接注ぐ。【解決手段】この構造では、保温蓋３を、上蓋３１と底蓋３２とを一体成型して、内部に中空注水室３３を形成するとともに、上蓋３１の中央に熱湯を注ぐことのできる注水孔３４を設け、底蓋３２に排気孔３５及び排水孔３６を、排気孔３５を排水孔３６よりも高い位置にして設け、保温蓋３を急須や茶碗に被せると、上蓋３１を急須や茶碗の開口外部に露出させ、底蓋３２を急須や茶碗の開口の内側に隠蔽して、保温蓋３を急須や茶碗に被せた状態で、熱湯を蓋から直接注水できるようにした。【選択図】図６
2008029809.tif 000002
【特許請求の範囲】
【請求項１】
容器の開口上に被せられる保温蓋の構造において、
保温蓋（３）は、上蓋（３１）と底蓋（３２）が一体成型されて、内部に中空注水室（３３）が形成されるとともに、
上蓋（３１）の中央に水を注ぐことのできる注水孔（３４）が設けられ、
底蓋（３２）に排気孔（３５）及び排水孔（３６）が、排気孔（３５）を排水孔（３６）よりも高い位置にして設けられ、
保温蓋（３）を容器に被せると、上蓋（３１）は容器の開口外部に露出し、底蓋（３２）は容器の開口の内側に隠蔽されて、保温蓋を容器に被せた状態で注水可能に構成されることを特徴とする保温蓋の構造。
【請求項２】
底蓋（３２）は平底（３２１）となっており、その中央に上向きに突出する凸部（３２２）が形成されて、排気孔（３５）は凸部（３２２）に設けられ、排水孔（３６）は平底（３２１）に設けられる請求項１に記載の保温蓋の構造。
【請求項３】
底蓋（３２）は平底（３２１）となっており、その中央に上向きに突出する第一凸部（３２２）が形成され、さらに第一凸部（３２２）の中央に上向きに突出する第二凸部（３２３）が形成されて、排気孔（３５）は第二凸部（３２３）に設けられ、排水孔（３６）は平底（３２１）に設けられる請求項１に記載の保温蓋の構造。
【請求項４】
底蓋（３２）は平底（３２１）となっており、その中央に下向きに陥没した凹部（３２４）が形成されて、排気孔（３５）は平底（３２１）部に設けられ、排水孔（３６）は凹部（３２４）に設けられる請求項１に記載の保温蓋の構造。
【請求項５】
上蓋（３１）の中央に指で抓むことのできる突出したつまみ（３７）があり、注水孔（３４）はつまみ（３７）の中央に設けられ、中空注水室（３３）と連通される請求項１に記載の保温蓋の構造。
【請求項６】
上蓋（３１）に指先で押さえることのできる小さな突起部（３８）が設けられる請求項１に記載の保温蓋の構造。
【請求項７】
容器は急須（４）であり、保温蓋（３）は急須（４）の開口部に被せられる請求項１に記載の保温蓋の構造。
【請求項８】
急須（４）の円形の持ち手（４１）の下に指を当てるための下向きに突出した弧形止め部（４２）が設けられる請求項７に記載の保温蓋の構造。
【請求項９】
容器は茶碗（５）であり、保温蓋（３）は茶碗（５）の口縁部に被せられる請求項１に記載の保温蓋の構造。
【発明の詳細な説明】
【技術分野】
【０００１】
本発明は、急須または蓋付き茶碗等に使用する保温蓋の構造に関するものである。
【背景技術】
【０００２】
従来の急須は、図１に示すように、一つの急須１２及び急須１２の上に被せる急須蓋１１によって構成されており、前述の急須蓋１１の中央には突出したつまみ１１２があり、つまみ１１２の内側には急須１２内の熱気を排出するための小さな排気孔１１１が設けられている。そして、急須１２の前端にはお茶を注ぐための注ぎ口１２１、後端には丸い持ち手１２２が形成されている。この種の急須は特許文献１、２などに記載されている。
【０００３】
従来の茶器は、図２に示すように、一つの茶碗２２及び茶碗２２の上に被せる茶蓋２１によって構成され、前述の茶蓋２１は密閉蓋になっており、それを茶碗２２に被せると熱気を完全に閉じ込めることができる。この種の茶器は特許文献１などに記載されている。
【０００４】
これらの急須や茶器を使ってお茶を賞味する場合、まず急須蓋１１を開けて急須１２に熱湯を注ぎ、急須１２に熱湯を注いだ後、再び急須蓋１１を急須１２に被せ、数分間待ってから急須１２内のお茶を注ぎ口１２１から茶碗２２に注ぐという手順を踏んでいる。
【０００５】
【特許文献１】実開昭６２−１２６１７７号公報
【特許文献２】実用新案登録第３１２１１６９号公報
【発明の開示】
【発明が解決しようとする課題】
【０００６】
しかしながら、上記従来の急須や茶器には、次のような問題点を有している。
（１）急須１２に熱湯を注ぐ時はまず急須蓋１１を開け、熱湯を注ぎ終えた時に再び急須蓋１１を急須１２に被せ、そして、急須１２で茶器に湯（茶）を注ぎ、急須１２内の湯を出し切ったところで、再び急須蓋１１を開けて急須１２に熱湯を注ぐという煩わしい手順を繰り返さなければならないため、茶を入れるのに非常に手間がかかり、不便である。
（２）また、既述のように急須蓋１１の開け閉めを繰り返しているため、急須蓋１１で急須１２に茶の香りを封じ込めることができず、茶の香りがすぐに飛んでしまう。そればかりではない。急須蓋１１の開閉を繰り返すうちに急須内部の温度は低下し、茶のまろやかなコクや甘みまでが損なわれてしまう。
（３）さらに、茶を注ぐ時に、急須蓋１１が落下しないように急須蓋１１に指を添えて押さえなければならないが、急須蓋１１は温度が相当高くなっているため、やけどの危険性がある。また、急須１２後端の円形の持ち手１２２は指を引っ掛けるための止め部がなく、操作時（茶を注ぐ時に）手が滑り、急須内の高温の茶湯を溢してしまうこともある。
（４）茶蓋２１と茶碗２２にも同様の問題がある。茶蓋２１を開けると、茶の香りがすぐに飛んでしまい、茶蓋２１で茶碗２２に香りを封じ込めることができない。また、茶蓋２１を茶碗２２に被せた時に内部の熱気を排出できないため、低圧現象が生じて、茶蓋２１と茶碗２２に圧力がかかると、茶蓋２１が開かない。この場合、力まかせに茶蓋２１を開けようとすると、茶碗の中の茶湯を溢してしまうことがある。
【０００７】
本発明は、このような従来の課題に鑑みなされたもので、蓋を開けなくても熱湯を直接注ぐことのできる保温蓋の構造を提供し、これにより、茶の風味をそのまま封じ込めるだけでなく、やけどを防止し、安全な操作を実現すること、また、この注水可能な保温蓋の構造により、保温効果だけでなく、茶の香りを茶碗に封じ込め、保温蓋に聞香蓋（香りをかぐための蓋）としての機能を持たせ、茶の香りを充分に堪能できるようにすることなど、を目的とする。
【課題を解決するための手段】
【０００８】
そこで、本発明は上記課題を解決し、上記目的を達成するために、次のような技術手法が採用される。本発明は容器開口上に被せた状態で注水を行える保温蓋の構造であり、その特徴を以下に示す。
（１）保温蓋３は、上蓋３１と底蓋３２を一体成型することにより保温蓋３の内部に中空注水室３３を形成し、保温蓋３を容器に被せると、上蓋３１は容器の開口外部に露出し、底蓋３２は容器の開口の内側に隠蔽される。そして、前述の上蓋３１の中央には水を注ぐことのできる注水孔３４、底蓋３２には排気孔３５及び排水孔３６が設置され、排気孔３５は排水孔３６より高い位置に設置しなければならない。
（２）上記（１）の構成において、底蓋３２は平底３２１となっており、その中央には上向きに突出した凸部３２２が設けられている。そして、前述の排気孔３５は凸部３２２に設けられ、排水孔３６は平底３２１部に分布している。
（３）上記（１）の構成において、底蓋３２は平底３２１となっており、その中央には上向きに突出した第一凸部３２２、第一凸部３２２の中央には上向きに突出した第二凸部３２３が設けられている。そして、前述の排気孔３５は第二凸部３２３に設けられ、排水孔３６は平底３２１部に分布している。
（４）上記（１）の構成において、底蓋３２は平底３２１となっており、その中央には下向きに陥没した凹部３２４が設けられている。そして、前述の排気孔３５は平底３２１部に設けられ、排水孔３６は凹部３２４に分布している。
（５）上記（１）の構成において、上蓋３１の中央には指で抓むことのできる突出したつまみ３７があり、前述の注水孔３４はつまみ３７の内側に設けられ、中空注水室３３と連通している。
（６）上記（１）の構成において、上蓋３１には指先で押さえることのできる小さな突起部３８が設けられている。
（７）上記（１）の構成において、容器は急須４となっており、保温蓋３は急須４の開口部に被せられている。
（８）上記（７）の構成において、急須４の円形持ち手４１の下には指を当てるための下向きに突出した弧形止め部４２が設けられている。
（９）上記（１）の構成において、容器は茶碗５となっており、保温蓋３は茶碗５の口縁部に被せられている。
【発明の効果】
【０００９】
本発明は上記の各構成により、次のような効果を奏する。
（１）上記（１）における保温蓋の構造では、保温蓋３の注水孔３４から熱湯を注ぐと、熱湯は中空注水室３３を通じて容器に流入するため、保温蓋３を開ける必要がなく、香りを容器及び保温蓋３の内側に封じ込め、保温蓋３を聞香杯（香りをかぐための杯）として使用できる。また、保温蓋３を開けずに熱湯を注ぐため、容器内の茶湯は冷めることなく、お茶本来のまろやかな風味と甘さを味わうことができる。
（２）上記（２）における保温蓋の構造では、排気孔３５を凸部３２２に、排水孔３６を平底３２１部に設置したことで、注入された熱湯は低所の平底３２１部に流れ、排水孔３６を介して容器の中に流れ込む。この構造により、茶湯を捨てる時、茶葉は底蓋３２の平底３２１部に堆積しにくいので、手間を掛けずに処理することができる。この時、空気は比較的に高い位置にある凸部３２２の排気孔３５から排出されるため、極めて理想的な熱対流効果が得られる。
（３）上記（３）における保温蓋の構造では、排気孔３５は第二凸部３２３、排水孔３６は平底３２１部に設けられているため、注水室３３に熱湯が蓄積し、熱湯の高さが第一凸部３２２を超えたとしても、第二凸部３２３の排気孔３５は浸水の影響を受けず、正常に排気を行うことができる。
（４）上記（４）における保温蓋の構造では、排気孔３５を平底３２１部に、排水孔３６を凹部３２４に設置したことで、注入された熱湯は低所の凹部３２４に流れ、排水孔３６を介して容器の中に流れ込む。この時、空気は比較的に高い位置にある平底３２１部の排気孔３５から排出されるため、極めて理想的な熱対流効果が得られる。
（５）上記（５）における保温蓋の構造では、上蓋３１中央の突出部は手で持つためのつまみ３７であり、注水孔３４はつまみ３７の中央に設けられ、熱湯はその部分を通じて中空注水室３３の中に素早く流れ込むため、熱エネルギーの流失を最小限に抑えることができる。また、注水孔３４を通じて中空注水室３３の水位を目視で確認することができ、注ぎ過ぎによる熱湯溢出を防止できる。
（６）上記（６）における保温蓋の構造では、上蓋３１に小さな突起部３８が設置されており、その部分に指先を添えれば、水を注ぐ時の保温蓋３の落下及び上蓋３１の高温によるやけどを防止することができる。
（７）上記（７）における保温蓋の構造では、容器を急須４とした場合、保温蓋３を急須４の上に被せれば、急須４に熱湯を注いだ時、保温蓋３の開け閉めを繰り返す必要はなく、手間を掛けずに、手軽にお茶を淹れることができる。
（８）上記（８）における保温蓋の構造では、急須４の円形持ち手４１の下には指を当てるための下向きに突出した弧形止め部４２が設けられているので、茶を注いだ後、急須４を傾斜状態から水平状態に戻す操作を簡単に行うことができる。
（９）上記（９）における保温蓋の構造では、容器を茶碗５とした場合、保温蓋３と茶碗５に低圧による真空吸着現象は発生せず、保温蓋３を容易に開けることができる。さらに、茶碗内の香りは保温蓋３に凝縮されるため、聞香杯としても利用できる。
【発明を実施するための最良の形態】
【００１０】
以下、本発明の実施の形態について図面を用いて説明する。図３に本発明の保温蓋を容器と組み合わせて使用した場合のイメージを示している。この図３では、本発明の保温蓋３は急須４もしくは茶碗５等の容器に被せられ、保温蓋３は急須４の開口部または茶碗５の口縁部を完全に被覆し、熱気の蒸発を抑え、水温を維持する役割を果たしている。また、本実施の形態では、急須４及び茶碗５は茶托６の上に置かれている。
【００１１】
図４乃至図６に本発明の保温蓋の第１の実施の形態を示している。図４は保温蓋の全体構成を示す断面図であり、図５は図４の保温蓋の下方から見た平面図であり、図６は図４の保温蓋を急須に用いた場合の使用時のイメージを示す断面図である。
【００１２】
図４に示すように、保温蓋３は上蓋３１と底蓋３２を一体成型され、内部に中空注水室３３が形成される。上蓋３１には熱湯を注ぐことのできる注水孔３４が設置される。この場合、上蓋３１の中央には指で抓むことのできる突出形状のつまみ３７があり、注水孔３４はこのつまみ３７の中央に設けられ、中空注水室３３と連通される。この注水孔３４は直径が上部が広く、下部が狭い漏斗（ろうと）状とすることが最も望ましい。なお、つまみ３７が設置されていない場合は、注水孔３４は上蓋３１の中央に設置すればよい。底蓋３２には排気孔３５及び排水孔３６が設置される。この排気孔３５は排水孔３６より高い位置に設置されることが望ましい。この場合、底蓋３２は平底３２１になっており、その中央には上向きに突出する凸部３２２が設けられる。熱湯が平底３２１へスムーズに流れるように、凸部３２２を弧形状の突出形状とすることが最も望ましい。排気孔３５はこの凸部３２２に設けられ、排水孔３６は平底３２１に分布される。排気孔３５は複数の設置が可能で、排水孔３６は、図５に示すように、複数かつ環状等角の配置とすることが最も望ましい。
【００１３】
図６に示すように、保温蓋３を急須４上に被せた時に、上蓋３１は急須４の開口外に露出する。底蓋３２は下向きに突出して、その直径は上蓋３１より小さいため、急須４の開口内に隠蔽される。熱湯（大きい矢印を参照）は注水孔３４に注がれた後、凸部３２２に沿って滴り落ち、平底３２１の排水孔３６を通じて急須４内に流れ込む。急須４に熱湯を注いだ後、急須４内の空気は凸部３２２の排気孔３５及び注水孔３４を通じて保温蓋３の外に排出される。このようにこの保温蓋３の構造では、保温蓋３を開けなくても熱湯を急須４に注ぐことができ、従来の蓋のような開け閉めの手間がいらない。また、保温蓋３を開けないため、保温時間及び保温効果は従来のものよりも高く、よりまろやかな味わいを実現できる。
【００１４】
また、この保温蓋３の構造では、上蓋３１に小さな突起部３８が設置されている。この部分を指先で軽く押さえることで、水を注ぐ時に、急須４の保温蓋３の落下及び上蓋３１の高温によるやけどを防止することができる。
【００１５】
さらに、この保温蓋３の構造では、急須４の円形の持ち手４１の下に薬指を当てるための下向きに突出する弧形の止め部４２が設けられている。この止め部４２により、お茶を注いだ後、急須４を傾斜状態から水平状態に戻す操作が簡単に行える。
【００１６】
図７及び図８に本発明の保温蓋の第２の実施形態を示している。図７は保温蓋の全体構成を示す断面図であり、図８は図７の保温蓋を急須に組み合わせた場合の使用時のイメージを示す断面図である。図７に示すように、この保温蓋３は上述した第１の実施の形態における保温蓋３と異なり、底蓋３２は平底３２１で、その中央に陥没した凹部３２４が設けられる。熱湯が凹部３２４の最低部へ流れ易いように、この凹部３２４は弧形状の陥没形状とすることが最も望ましい。排気孔３５は平底３２１に設けられ、排水孔３６は凹部３２４に環状に設置される。図８に示すように、熱湯（大きい矢印を参照）は注水孔３４に注がれた後、凹部３２４に流れ込み、排水孔３６を通じて急須４内に滴り落ちる。急須４に熱湯を注いだ後、急須内の空気は平底３２１の排気孔３５及び注水孔３４を通じて保温蓋３の外に排出される。
【００１７】
図９乃至図１１に本発明の保温蓋の第３の実施の形態を示している。図９は保温蓋の全体構成を示す断面図であり、図１０は図９の保温蓋を下方から見た平面図であり、図１１は図９の保温蓋を急須に用いた場合の使用時のイメージを示す断面図である。図９及び図１０に示すように、この保温蓋３は上述した第１の実施の形態の保温蓋３と概ね同じ構造を有し、底蓋３２が平面となっており、下向きに突出していないことが唯一異なる。但し、その作用及び効果は第１の実施の形態と同じであるため、ここではその説明を省略する。図１１に示すように、この保温蓋３を茶碗５に被せ、熱湯を注水孔３４に注ぐと、熱湯は凸部３２２に沿って滴り落ち、平底３２１部の排水孔３６を通じて茶碗５内に流れ込む。茶碗５に熱湯を注いだ後、茶碗５内の空気は排気孔３５及び注水孔３４を通じて保温蓋の外に排出される。飲用時に保温蓋３を開けると、保温蓋３の注水室３３にはお茶の香りが凝縮されているため、保温蓋３を聞香杯として利用し、茶碗５内の茶湯を味わうことができる。
【００１８】
図１２に本発明の保温蓋の第４の実施の形態を示している。図１２は保温蓋の全体構成を示す断面図である。この実施の形態では第３の実施の形態と異なり、保温蓋３の底蓋３２は平底３２１になっており、その中央に上向きに突出する第１凸部３２２、第１凸部３２２の中央には上向きに突出する第２凸部３２３が設けられる。熱湯が平底３２１へ流れ易いよう、第１及び第２凸部３２２、３２３は弧形状の突出形状とすることが最も望ましい。排気孔３５は第２凸部３２３に設けられ、排水孔３６は平底３２１に環状に設置される。この構造により、熱湯を保温蓋３の注水孔３４に注いだ時に、排水孔３６の排水速度が注水孔３４の流入量に追い付けなくなると、注水室３３に熱湯が蓄積される。排気孔３５が第１凸部３２２に設置されている場合、蓄積された熱湯の高さが第１凸部３２２を超えた時に、排気孔３５に排気不能の問題が生じる。そこで、この実施の形態では、第２凸部３２３を増設し、排気孔３５を第２凸部３２３に設置することで、熱湯が第１凸部３２２の高さまで蓄積した時でも、排気孔３５は浸水の影響を受けずに正常に排気を行うことができる。
【００１９】
上述した各実施の形態は本発明の特許請求の範囲を限定するものではなく、この技術分野に熟知した人員は本発明の精神及び原則を逸脱しない限り、本発明に変更または改良を加えることができるが、それらの変更または改良は全て本発明の特許請求の範囲に記載された技術的範囲に含まれるものである。
【図面の簡単な説明】
【００２０】
【図１】従来の急須及び保温蓋の全体構成を示す断面図
【図２】従来の茶碗及び保温蓋の全体構成を示す断面図
【図３】本発明の保温蓋を急須及び茶碗に適用し、その使用時のイメージを示す斜視図
【図４】本発明の第１の実施の形態における保温蓋の構造を示す断面図
【図５】同保温蓋の下方から見た平面図
【図６】同保温蓋を急須と組み合わせ、その使用時のイメージを示す断面図
【図７】本発明の第２の実施の形態における保温蓋の構造を示す断面図
【図８】同保温蓋を急須と組み合わせ、その使用時のイメージを示す断面図
【図９】本発明の第３の実施の形態における保温蓋の構造を示す断面図
【図１０】同保温蓋の下方から見た平面図
【図１１】同保温蓋を茶碗と組み合わせ、その使用時のイメージを示す断面図
【図１２】本発明の第４の実施の形態における保温蓋の構造を示す断面図
【符号の説明】
【００２１】
１１  急須蓋
１２  急須
１１１  排気孔
１１２  つまみ
１２１  注ぎ口
１２２  持ち手
２１  茶蓋
２２  茶碗
３  保温蓋
４  急須
５  茶碗
６  茶托
３１  上蓋
３２  底蓋
３３  注水室
３４  注水孔
３５  排気孔
３６  排水孔
３７  つまみ
３８  小さな突起部
３２１  平底
３２２  凸部（第一凸部）
３２３  第二凸部
３２４  凹部
【図１】
2008029809.tif 000003
【図２】
2008029809.tif 000004
【図３】
2008029809.tif 000005
【図４】
2008029809.tif 000006
【図５】
2008029809.tif 000007
【図６】
2008029809.tif 000008
【図７】
2008029809.tif 000009
【図８】
2008029809.tif 000010
【図９】
2008029809.tif 000011
【図１０】
2008029809.tif 000012
【図１１】
2008029809.tif 000013
【図１２】
2008029809.tif 000014